(57)【特許請求の範囲】
【請求項１】
使用状態時に一部が互いに重なるよう配置され、且つ収納状態時に相対的に移動して互いの重なりがより大きくなるよう適用された第１底板および第２底板と、
第１末端および第２末端を有し、前記第１末端が、前記第２底板から相対的に遠ざかるように前記第１底板の一側に枢設された第１天板と、
第３末端および第４末端を有し、前記第４末端が、前記第１底板から相対的に遠ざかるように前記第２底板の一側に枢設された第２天板と、
前記第１天板および前記第２天板と、前記第１底板および前記第２底板の２つの側面に接続された２つの可撓性側面遮蔽部材と、
前記収納状態時に、前記第２底板が、前記第１底板と相対的に移動して前記第１底板の前記第１末端に接近して、前記第２天板の前記第３末端が、前記第４末端を回転軸として相対的に回転して前記第２底板に接近し、前記第１天板の前記第２末端が、前記第１末端を回転軸として相対的に回転して、前記第２天板の上に配置された折りたたみ式マウス。
【請求項２】
前記第１天板が、さらに、前記第２末端に設置された第１継合構造を有し、前記第２天板が、さらに、前記第３末端に設置された第２継合構造を有し、且つ前記第１継合構造が第２継合構造と接合するよう適用された請求項１記載の折りたたみ式マウス。
【請求項３】
前記第１継合構造および前記第２継合構造のうち１つが突出部で、もう１つが陥凹部である請求項２記載の折りたたみ式マウス。
【請求項４】
前記可撓性側面遮蔽部材の材料が、スポンジまたはゴムである請求項１記載の折りたたみ式マウス。
【請求項５】
前記第１底板の上に設置された回路板をさらに含んだ請求項１記載の折りたたみ式マウス。
【請求項６】
前記第１底板が、前記第２底板の上に配置された請求項５記載の折りたたみ式マウス。
【請求項７】
前記第２底板が、前記第１底板の上に配置され、前記回路板と前記第１底板の間に距離が隔てられた請求項５記載の折りたたみ式マウス。
【請求項８】
前記第１底板の上に設置された高架フレームをさらに含み、前記高架フレームの上に前記回路板が設置された請求項７記載の折りたたみ式マウス。
【発明の詳細な説明】
【技術分野】
【０００１】
本発明は、マウスに関するものであり、特に、折りたたみ機能が付いた折りたたみ式マウスに関するものである。
【背景技術】
【０００２】
マウスは、ウィンドウ・インターフェース（window interface）を取り入れたアプリケーションを使用する入力装置で、スクリーン上のカーソルの表示位置をコントロールすることができるとともに、ファンクションキーをクリックしてアプリケーションを開いたり、その他の関連機能を実行したりすることができる。現在、パソコンを使用する者にとって、マウスは、キーボードを除いて最もよく見られる入力装置の１つである。
【０００３】
マウスは、デスクトップ型パソコンまたはノート型パソコンに応用することができる。ノート型パソコンは、スクリーン上のカーソルをパソコン本体に設置されたタッチパッド（touch pad）でコントロールすることができるが、ユーザーの多くは、やはりマウスを取り付けてノート型パソコンを使用する習慣があるため、マウスを外付けして使用する状況がよく見られる。
【０００４】
現在、よく見られるマウスは、信号ケーブルを通してパソコンに接続して使用するものと、ケーブルを介さずに無線伝送を利用したワイヤレスマウスに分けることができる。ワイヤレスマウスは、操作時にケーブルを繋げる必要がないため、移動範囲をさらに広げることができる。
【先行技術文献】
【特許文献】
【０００５】
【特許文献１】特開２００８−０４１０７４号公報
【発明の概要】
【発明が解決しようとする課題】
【０００６】
マウスの体積はそれほど大きくないが、人体工学に符合させるために、一般的なマウスの外形は大体が分厚くできており、ユーザーが快適に握れるようになっている。しかしながら、マウスが分厚い形をしていることによって携帯や収納に困ることがよくあり、中でもノート型パソコンを持って外出する時、ノート型パソコン専用の収納バッグに入れると、マウスが比較的広いスペースを占領してしまうため、バッグの収納厚が足りない時にバッグが盛り上がり、美観性に影響を与える。
【課題を解決するための手段】
【０００７】
本発明は、収納や携帯に便利な折りたたみ式マウスを提供する。
【０００８】
本発明は、第１底板と、第２底板と、第１天板と、第２天板と、２つの可撓性側面遮蔽部材とを含む折りたたみ式マウスを提供する。第１底板および第２底板は、一部が互いに重なるよう配置され、且つ第１底板および第２底板は、相対的に移動するよう適用される。第１天板は、第１末端および第２末端を有し、第１末端は、第２底板から相対的に遠ざかるように第１底板の一側に枢設される。第２天板は、第３末端および第４末端を有し、第４末端は、第１底板から相対的に遠ざかるように第２底板の一側に枢設される。２つの可撓性側面遮蔽部材は、第１天板および第２天板と、第１底板および第２底板の２つの側面に接続される。
【０００９】
本発明の折りたたみ式マウスの実施形態中、上述した第１天板は、さらに、第２末端に設置された第１継合構造を有し、第２天板は、さらに、第３末端に設置された第２継合構造を有する。第１継合構造は、第２継合構造と接合するよう適用され、第１継合構造および第２継合構造のうち１つは突出部で、もう１つは陥凹部である。
【００１０】
本発明の折りたたみ式マウスの実施形態中、上述した可撓性側面遮蔽部材の材料は、スポンジまたはゴムである。
【００１１】
本発明の折りたたみ式マウスの実施形態中、さらに、第１底板の上に設置された回路板を含み、第１底板が第２底板の上に配置される。あるいは、第２底板が第１底板の上に配置され、折りたたみ式マウスが、さらに、第１底板の上に設置された高架フレームを含み、高架フレームの上に回路板が設置され、回路板と第１底板の間に距離を隔てる。
【００１２】
本発明の折りたたみ式マウスの実施形態中、上述した第２底板の第３末端は、第４末端を回転軸として相対的に回転して、第２底板に接近し、第２底板は、第１底板と相対的に移動して、第１底板の第１末端に接近し、第１底板の第２末端は、第１末端を回転軸として相対的に回転して、第２天板の上に放置され、折りたたみ式マウスの全体の体積が縮小される。
【発明の効果】
【００１３】
以上のように、本発明の折りたたみ式マウスの第１天板および第２天板は、第１底板および第２底板に相対的に接近することができ、且つ第１底板および第２底板を相対的に移動させて、互いに重ね合わせることによって、折りたたみ式マウスの全体の体積を縮小することができるため、収納や携帯に便利である。
【００１４】
本発明の上記及び他の目的、特徴、および利点をより分かり易くするため、図面と併せた幾つかの実施形態を以下に説明する。
【図面の簡単な説明】
【００１５】
【図１】本発明の実施形態に係る折りたたみ式マウスの概略的立体図である。
【図２】図１の折りたたみ式マウスの第１および第２天板を省略した概略図である。
【図３】図１の折りたたみ式マウスの概略的断面図である。
【図４】図３の折りたたみ式マウスを折りたたんで収納する流れの一つを示す概略的断面図である。
【図５】図３の折りたたみ式マウスを折りたたんで収納する流れの一つを示す概略的断面図である。
【図６】図３の折りたたみ式マウスを折りたたんで収納する流れの一つを示す概略的断面図である。
【図７】本発明の別の実施形態に係る折りたたみ式マウスの使用状態を示す概略図である。
【図８】図７の折りたたみ式マウスの収納状態を示す概略図である。
【発明を実施するための形態】
【００１６】
図１は、本発明の実施形態に係る折りたたみ式マウスの概略的立体図であり、図２は、図１の折りたたみ式マウスの第１および第２天板を省略した概略図であり、図３は、図１の折りたたみ式マウスをＡ-Ａ断面線に沿って見た時の概略的断面図である。図１、図２および図３を同時に参照すると、本実施形態の折りたたみ式マウス１００は、第１底板１１０と、第２底板１２０と、第１天板１３０と、第２天板１４０と、２つの可撓性側面遮蔽部材１５０とを含む。第１底板１１０および第２底板１２０は、一部が互いに重なるよう配置され、且つ第１底板１１０および第２底板１２０は、相対的に移動可能である。第１天板１３０は、第１末端１３２および第２末端１３４を有し、第１末端１３２は、第２底板１２０から相対的に遠ざかるように第１底板１１０の一側に枢設される。第２天板１４０は、第３末端１４２および第４末端１４４を有し、第４末端１４４は、第１底板１１０から相対的に遠ざかるように第２底板１２０の一側に枢設される。２つの可撓性側面遮蔽部材１５０は、第１天板１３０および第２天板１４０と、第１底板１１０および第２底板１２０の２つの側面に接続される。
【００１７】
上述したように、ユーザーが使用した時に折りたたみ式マウス１００に施される力を支持し、且つ折りたたみ式マウス１００の全体の重量が重くなりすぎないようにするために、折りたたみ式マウス１００の第１底板１１０、第２底板１２０、第１天板１３０および第２天板１４０は、全てプラスチックで製造する。第１天板１３０は、さらに、第２末端１３４に設置された第１継合構造１３６を有し、第２天板１４０は、さらに、第３末端１４２に設置された第２継合構造１４６を有する。
【００１８】
使用状態において、折りたたみ式マウス１００の第１継合構造１３６は、第２継合構造１４６と接合する。第１継合構造１３６は陥凹部であり、第２継合構造１４６は突出部である。一緒に固定された第１天板１３０と第２天板１４０は、弧形になっているため、ユーザーは、折りたたみ式マウス１００を握った時に、第１天板１３０と第２天板１４０の上にもたれかかることができる。本分野における技術者であれば、実際の需要に基づいて、上記の第１継合構造１３６および第２継合構造１４６の形状を変更することができる。また、本実施形態の折りたたみ式マウス１００は、さらに、第１底板１１０の上に設置された回路板１６０を含む。第２底板１２０は、第１底板１１０の上に配置され、且つ第２底板１２０の小部分が第１底板１１０の上に重なるよう配置される。
【００１９】
図４〜図６は、図３の折りたたみ式マウスを折りたたんで収納する流れを示す概略的断面図である。説明すべきこととして、図３は断面図であるが、図１のＡ-Ａ断面線に沿って見ると、高架フレーム１７０と第１底板１１０が接触する部分にフレームレッグが見える。したがって、図４〜図６は、高架フレーム１７０と第１底板１１０が接触する部分のフレームレッグを図示していない。図３および図４を同時に参照すると、ユーザーが本実施形態の折りたたみ式マウス１００の使用を継続せずに、これを収納しようとする時、ユーザーは、まず第１継合構造１３６と第２継合構造１４６の互いの接合を解除してから、第４末端１４４を回転軸として、第２天板１４０の第３末端１４２を相対的に回転させ、第２底板１２０に接近させる。
【００２０】
そして、図３および図５を同時に参照すると、第２底板１２０は、第１天板１３０の第１末端１３２に近づく方向に向かって、第１底板１１０と相対的に所定の位置に移動する。この時、第２天板１４０は、第１天板１３０の下方に配置され、第２底板１２０の大部分が第１底板１１０の上に重なるよう配置される。ここで言及すべきこととして、折りたたみ式マウス１００は、さらに、第１底板１１０の上に設置された高架フレーム１７０を含んでもよく、且つこの高架フレーム１７０の上に回路板１６０を設置することによって、回路板１６０と第１底板１１０の間に距離Ｄを隔ててもよい。この高架フレーム１７０の設置によって、第２底板１２０が第１天板１３０の第１末端１３２に近づく方向に向かって、第１底板１１０と相対的に移動した時、第２底板１２０は、この回路板１６０と第１底板１１０の間に隔てられた距離Ｄを通過するため、回路板１６０を第１底板１１０の上に直接設置した場合に第２底板１２０が回路板１６０によって制限され、第１底板１１０と相対的に所定の位置に移動できなくなる状況を防ぐことができ、後続の折りたたみ式マウス１００を折りたたむ動作に影響を与えないようにすることができる。
【００２１】
本技術分野において通常の知識を有する者であれば、実際の需要に基づいて、回路板１６０を高架する実施方式を変更することができる。例を挙げて説明すると、第１底板１１０の上に回路板１６０を支持することのできるリブを直接延伸させ、同様に回路板１６０を高架してもよい。
【００２２】
続いて、図６を参照すると、第１天板１３０の第２末端１３４が第１末端１３２を回転軸として相対的に回転し、第１天板１３０が第２天板１４０の上に放置されることによって、折りたたみ式マウス１００の折りたたみが完了し、折りたたみ式マウス１００が収納状態になる。特に、本実施形態の可撓性側面遮蔽部材１５０の材料は、押すと変形するスポンジまたはゴムであってもよい。そのため、折りたたみ式マウス１００が収納状態になった時に、可撓性側面遮蔽部材１５０が押されて変形し、可撓性側面遮蔽部材１５０の体積が変形する前よりも小さくなる。
【００２３】
使用状態の折りたたみ式マウス１００（図３に示す）と比較すると、収納状態になった折りたたみ式マウス１００（図６に示す）の大きさは、厚さ方向と長さ方向のいずれにおいても縮小されるため、折りたたみ式マウス１００の全体の体積が小さくなり、ユーザーが携帯や収納するのに便利である。
【００２４】
図７は、本発明の別の実施形態に係る折りたたみ式マウスの使用状態を示す概略図であり、図８は、図７の折りたたみ式マウスの収納状態を示す概略図である。図７および図８を同時に参照すると、本実施形態と上述した実施形態はほぼ同じであるが、次の点において異なる：本実施形態の折りたたみ式マウス２００は、第１底板２１０が第２底板２２０の上に配置され、第１底板２１０の上に回路板１６０が直接設置される。こうすることによって、第１底板２１０の上に高架フレーム１７０（図３に示す）をさらに設置する必要がないため、折りたたみ式マウス２００が使用する部材の数を減らすことができ、これによって、コストを有効に下げることができる。
【００２５】
以上のように、本発明の折りたたみ式マウスは、収納状態になった時に、折りたたみ式マウスの大きさを厚さ方向と長さ方向のいずれにおいても縮小することができ、折りたたみ式マウスの全体の体積を縮小することができるため、ユーザーにとって、携帯や収納に便利である。
【００２６】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００２７】
１００、２００    折りたたみ式マウス
１１０、２１０    第１底板
１２０、２２０    第２底板
１３０    第１天板
１３２    第１末端
１３４    第２末端
１３６    第１継合構造
１４０    第２天板
１４２    第３末端
１４４    第４末端
１４６    第２継合構造
１５０    可撓性側面遮蔽部材
１６０    回路板
１７０    高架フレーム
Ｄ    距離
【図１】
0005113917.tif 000002
【図２】
0005113917.tif 000003
【図３】
0005113917.tif 000004
【図４】
0005113917.tif 000005
【図５】
0005113917.tif 000006
【図６】
0005113917.tif 000007
【図７】
0005113917.tif 000008
【図８】
0005113917.tif 000009